(57)【要約】【課題】  レバー機構を用いてクラッチ操作を行う装置において、レリーズ部材をスムーズに作動させるとともに、その摩耗を抑える。【解決手段】  この装置は、クラッチハウジング１と、出力側回転体２と、クラッチ部３と、プレッシャプレート４と、ダイヤフラムスプリング５と、レリーズ部材６と、規制機構７とを備えている。クラッチハウジング１は入力側部材に連結され、出力側回転体２は出力側部材に連結されている。クラッチ部３は複数のクラッチプレートを有し、プレッシャプレート４はクラッチプレートを互いに押圧する。ダイヤフラムスプリング５はプレッシャプレート４を押圧し、レリーズ部材６はレリーズ操作力をダイヤフラムスプリング５に伝達する。規制機構７は、レリーズ部材６のセンタリングを行うとともに、レリーズ部材６のダイヤフラムスプリング５に対する相対回転を禁止する。【選択図】      図１
2006312990.tif 000002
【特許請求の範囲】
【請求項１】
入力側部材からの動力を出力側部材に伝達するとともに、レリーズ機構の作動により動力伝達を遮断するモータサイクル用クラッチ装置であって、
前記入力側部材及び出力側部材の一方に連結されたクラッチハウジングと、
前記クラッチハウジングの内周部に設けられ、前記入力側部材及び出力側部材の他方に連結された回転体と、
前記クラッチハウジングと前記回転体との間で動力の伝達及び遮断を行うための１枚以上のプレート部材を有するクラッチ部と、
前記クラッチ部のプレート部材を押圧するためのプレッシャプレートと、
前記プレッシャプレートを押圧する押圧部と、前記レリーズ機構の作動力を所定のレバー比で増幅して前記押圧部による押圧力を解除するためのレバー部とを有する押圧部材と、
前記レリーズ機構を保持するとともに前記レリーズ機構の作動力を前記レバー部に伝達するためのレリーズ部材と、
前記レリーズ部材のセンタリングを行うとともに、前記レリーズ部材の前記押圧部材に対する相対回転を禁止する規制機構と、
を備えたモータサイクル用クラッチ装置。
【請求項２】
前記押圧部材は、外周部に前記押圧部を有するとともに内周部に前記レバー部を有するダイヤフラムスプリングである、請求項１記載のモータサイクル用クラッチ装置。
【請求項３】
前記回転体は外周部に前記プレッシャプレートと対向する摩擦部を有し、
前記クラッチ部は、前記クラッチハウジングに係合する第１クラッチプレートと前記回転体に係合する第２クラッチプレートとを有し、前記第１及び第２クラッチプレートは前記回転体の摩擦部と前記プレッシャプレートとの間に挟持される、
請求項１又は２に記載のモータサイクル用クラッチ装置。
【請求項４】
前記ダイヤフラムスプリングは、
前記押圧部の外周部が前記プレッシャプレートを押圧し、前記押圧部の内周部が前記回転体の外周部に支持され、
前記レバー部の内周部が、前記レリーズ機構によって前記プレッシャプレート側に移動させられる、
請求項２又は３に記載のモータサイクル用クラッチ装置。
【請求項５】
前記レリーズ部材は径方向外方に突出する複数の爪を外周に有する環状の部材であり、
前記回転体は、前記押圧部材と相対回転不能に連結されるとともに、回転体本体と、前記回転体本体に固定されて前記回転体本体とともに前記押圧部材を支持する支持プレートとを有し、
前記支持プレートは前記レリーズ部材の複数の爪のそれぞれが係合する複数の係合用切欠きを内周部に有し、
前記規制機構は前記複数の爪と複数の係合用切欠きによって構成されている、
請求項１から４のいずれかに記載のモータサイクル用クラッチ装置。
【請求項６】
前記レリーズ部材は側面に軸方向に突出する複数の突起を外周に有する環状の部材であり、
前記押圧部材は前記レリーズ部材の複数の突起のそれぞれが係合する複数のスリットを有し、
前記回転体は、前記押圧部材と相対回転不能に連結されるとともに、回転体本体と、前記回転体本体に固定されて前記回転体本体とともに前記押圧部材を支持する環状の支持プレートとを有し、
前記規制機構は、前記レリーズ部材の外周面と、前記レリーズ部材の外周面が当接する前記支持プレートの内周面と、前記複数の突起と、前記複数のスリットとによって構成されている、
請求項１から４のいずれかに記載のモータサイクル用クラッチ装置。
【請求項７】
前記レリーズ部材は外周部に径方向内方に窪む複数の凹部を有する環状の部材であり、
前記回転体は、前記押圧部材と相対回転不能に連結され、前記レリーズ部材の複数の凹部のそれぞれに係合する複数の爪を有し、
前記規制機構は前記複数の凹部と複数の爪によって構成されている、
請求項１から４のいずれかに記載のモータサイクル用クラッチ装置。
【発明の詳細な説明】
【技術分野】
【０００１】
本発明は、クラッチ装置、特に、入力側部材からの動力を出力側部材に伝達するとともに、レリーズ機構の作動により動力伝達を遮断するモータサイクル用クラッチ装置に関する
【背景技術】
【０００２】
一般に、自動二輪車やバギー等のモータサイクルには、エンジンからの動力をトランスミッションに伝達あるいは遮断するために多板クラッチ装置が用いられている。この多板クラッチ装置は、エンジンのクランク軸側に連結されるクラッチハウジングと、トランスミッション側に連結される出力側回転体と、それらの間で動力の伝達、遮断を行うためのクラッチ部と、クラッチ部を押圧するためのプレッシャプレートとを有している。クラッチ部は、クラッチハウジングに係合する第１クラッチプレートと出力側回転体に係合する第２クラッチプレートとが交互に配置されている。
【０００３】
そして、これらのクラッチプレートを、プレッシャプレートを介してスプリング等の押圧部材で圧接させることにより、クランク軸の回転がトランスミッション側に伝達されるようになっている。また、クラッチをオフ（回転の伝達を遮断）する場合は、操作者がクラッチレバーを握ることによってレリーズ機構が作動し、このレリーズ機構によって押圧部材のクラッチプレートに対する押圧が解除され、第１及び第２クラッチプレート間の動力伝達が遮断されるようになっている。
【特許文献１】特開２００３−２２２１５９号公報
【発明の開示】
【発明が解決しようとする課題】
【０００４】
以上のようなクラッチ装置では、押圧部材の押圧力（押し付け荷重）及びクラッチ部の容量（クラッチプレートの枚数や大きさ）が動力伝達容量を決定する。したがって、小さいスペースで所望の動力伝達容量を確保しようとすれば、押し付け荷重を高くする必要がある。
【０００５】
一方、従来のモータサイクル用クラッチ装置では、クラッチ部の接続を遮断するためには、押し付け荷重と同等のレリーズ荷重をレリーズ機構によって加える必要がある。このレリーズ荷重はクラッチレバーを握る力、すなわち操作力によって決定されるために、押し付け荷重を高くすると、それに伴ってクラッチレバーの操作力が高くなり、操作性が悪くなる。したがって、押し付け荷重をあまり高くすることができない。
【０００６】
そこで、本件出願人は、レバー機構を用いて操作力を増幅して押圧部に作用させ、従来のクラッチ装置における操作力に比較して、レバー比の分だけ少ない操作力でクラッチオフ操作が可能としたクラッチ装置を既に出願している（特願２００４−３６７２９２）。
【０００７】
このクラッチ装置では、レリーズベアリングをレリーズ部材で保持し、このレリーズ部材によってレバー部材（ダイヤフラムスプリング）の内周部を押圧するようにしている。したがって、長期にわたって操作性を損なわないようにするためには、レリーズ部材がスムーズに作動するように構成するとともに、レリーズ部材の摩耗を抑える必要がある。
【０００８】
本発明の課題は、レバー機構を用いてクラッチ操作を行うようにした装置において、レリーズベアリングを保持する部材をスムーズに作動させるとともに、その摩耗を抑えることにある。
【課題を解決するための手段】
【０００９】
請求項１に係るモータサイクル用クラッチ装置は、入力側部材からの動力を出力側部材に伝達するとともに、レリーズ機構の作動により動力伝達を遮断する装置であり、クラッチハウジングと、回転体と、クラッチ部と、プレッシャプレートと、押圧部材と、レリーズ部材と、規制機構とを備えている。クラッチハウジングは入力側部材及び出力側部材の一方に連結されている。回転体は、クラッチハウジングの内周部に設けられ、入力側部材及び出力側部材の他方に連結されている。クラッチ部はクラッチハウジングと回転体との間で動力の伝達及び遮断を行うための１枚以上のプレート部材を有している。プレッシャプレートはクラッチ部の１枚以上のプレート部材を押圧するための部材である。押圧部材は、プレッシャプレートを押圧する押圧部と、レリーズ機構の作動力を所定のレバー比で増幅して押圧部による押圧力を解除するためのレバー部とを有する。レリーズ部材はレリーズ機構を保持するとともにレリーズ機構の作動力をレバー部に伝達する。規制機構は、レリーズ部材のセンタリングを行うとともに、レリーズ部材の押圧部材に対する相対回転を禁止する。
【００１０】
このクラッチ装置では、押圧部材による押圧力がプレッシャプレートを介してクラッチ部に作用し、クラッチ部はオン（動力伝達状態）になっている。この状態では、入力側部材からの動力は、例えばクラッチハウジングに入力され、さらにクラッチ部を介して回転体に伝達されて、出力側部材に出力される。逆に、入力側部材からの動力が回転体に入力された場合は、この動力はクラッチ部を介してクラッチハウジングに伝達され、出力側部材に出力される。クラッチをオフ（動力遮断状態）にする場合は、レリーズ機構によって押圧部材のレバー部を操作すると、この操作力は所定のレバー比で増幅されて押圧部に作用し、押圧部によるプレッシャプレートへの押圧力が解除される。
【００１１】
ここでは、レバー機構による操作力がレバー部のレバー比で増幅されて押圧部に作用するので、従来のクラッチ装置における操作力に比較して、レバー比の分だけ少ない操作力でクラッチオフ操作が可能となる。また、レリーズ機構を保持する部材が、規制機構によってセンタリングされ、また押圧部材に対する相対回転が禁止されているので、レリーズ操作をスムーズに行えるとともに、保持部材の摩耗を抑えることができる。
【００１２】
請求項２に係るモータサイクル用クラッチ装置は、請求項１の装置において、押圧部材は、外周部に押圧部を有するとともに内周部にレバー部を有するダイヤフラムスプリングである。この場合は、押圧部材の構成が簡単になる。
【００１３】
請求項３に係るモータサイクル用クラッチ装置は、請求項１又は２の装置において、回転体は外周部にプレッシャプレートと対向する摩擦部を有し、クラッチ部は、クラッチハウジングに係合する第１クラッチプレートと回転体に係合する第２クラッチプレートとを有し、第１及び第２クラッチプレートは回転体の摩擦部とプレッシャプレートとの間に挟持される。
【００１４】
ここでは、クラッチ部を構成する第１及び第２クラッチプレートが回転体の摩擦部とプレッシャプレートとの間に挟持され、動力は、クラッチハウジング、第１クラッチプレート、第２クラッチプレート、回転体の経路で伝達される。
【００１５】
請求項４に係るモータサイクル用クラッチ装置は、請求項２又は３の装置において、ダイヤフラムスプリングは、押圧部の外周部がプレッシャプレートを押圧し、押圧部の内周部が回転体の外周部に支持され、さらに、レバー部の内周部が、レリーズ機構によってプレッシャプレート側に移動させられる。
【００１６】
ここでは、ダイヤフラムスプリングのレバー部内周部をレリーズ機構によって操作することにより、押圧部の外周部がプレッシャプレートから離れる方向に移動し、押圧部によるプレッシャプレートへの押圧力が解除される。
【００１７】
ここで、ダイヤフラムスプリングの押圧部の内周部は回転体の外周部によって支持されているので、ダイヤフラムスプリングを支持するための構成が簡単になり、軸方向寸法も短くなる。一般的な自動車用のクラッチ装置において、ダイヤフラムスプリングの内周端部をエンジン側に操作することによりクラッチオフにするタイプのものでは、ダイヤフラムスプリングの押圧部の内周部はクラッチカバーによって支持されている。このクラッチカバーによる支持構造では、クラッチカバーの外周部からダイヤフラムスプリングの外側を外周側から覆うように内周側に延びた部分に支持されるようになっている。このような構造では、ダイヤフラムスプリングの支持のために軸方向に比較的長いスペースが必要となる。しかし、本請求項に係る発明では、前述のように、回転体の外周部によってダイヤフラムスプリングを支持しているので、比較的短い軸方向スペースで支持が可能となる。
【００１８】
請求項５に係るモータサイクル用クラッチ装置は、請求項１から４のいずれかの装置において、レリーズ部材は径方向外方に突出する複数の爪を外周に有する環状の部材であり、回転体は、押圧部材と相対回転不能に連結され、回転体本体と、回転体本体に固定されて回転体本体とともに押圧部材を支持する支持プレートとを有し、支持プレートはレリーズ部材の複数の爪のそれぞれが係合する複数の係合用切欠きを内周部に有している。そして、規制機構は複数の爪と複数の係合用切欠きによって構成されている。
【００１９】
ここでは、レリーズ部材の複数の爪が支持プレートの係合用切欠きに係合し、センタリングされている。また、支持プレートは押圧部材に対して相対回転不能に固定されているので、レリーズ部材と押圧部材とは相対回転が禁止される。
【００２０】
請求項６に係るモータサイクル用クラッチ装置は、請求項１から４のいずれかの装置において、レリーズ部材は側面に軸方向に突出する複数の突起を外周に有する環状の部材であり、押圧部材はレリーズ部材の複数の突起のそれぞれが係合する複数のスリットを有し、回転体は、押圧部材と相対回転不能に連結されるとともに、回転体本体と、回転体本体に固定されて回転体本体とともに押圧部材を支持する環状の支持プレートとを有している。そして、規制機構は、レリーズ部材の外周面と、レリーズ部材の外周面が当接する支持プレートの内周面と、複数の突起と、複数のスリットとによって構成されている。
【００２１】
ここでは、レリーズ部材の外周面と支持プレートの内周面とが当接することによってレリーズ部材がセンタリングされ、またレリーズ部材の複数の突起が押圧部材の係合用切欠きに係合することによって、レリーズ部材は押圧部材に対して相対回転が禁止される。
【００２２】
請求項７に係るモータサイクル用クラッチ装置は、請求項１から４のいずれかの装置において、レリーズ部材は外周部に径方向内方に窪む複数の凹部を有する環状の部材であり、回転体は、押圧部材と相対回転不能に連結され、レリーズ部材の複数の凹部のそれぞれに係合する複数の爪を有し、規制機構は複数の凹部と複数の爪によって構成されている。
【００２３】
ここでは、レリーズ部材の複数の凹部に回転体の爪が係合することにより、レリーズ部材がセンタリングされている。また、回転体は押圧部材に対して相対回転不能に固定されているので、レリーズ部材と押圧部材とは相対回転が禁止される。
【発明の効果】
【００２４】
本発明に係るモータサイクル用クラッチ装置では、レリーズ機構を保持する部材が、センタリングされるとともに、押圧部材との相対回転が禁止されるので、長期にわたってレリーズ操作をスムーズに行うことができる。
【発明を実施するための最良の形態】
【００２５】
［第１実施形態］
＜全体構成＞
図１及び図２に示すモータサイクル用クラッチ装置は、エンジンのクランク軸からの動力をトランスミッションに伝達するとともに、レリーズ機構の操作により、動力を遮断するためのものである。このクラッチ装置は、レリーズベアリングを軸方向内側に押すことによりクラッチオフとする構成であり、クラッチハウジング１と、出力側回転体２と、クラッチハウジング１と出力側回転体２との間で動力の伝達、遮断を行うためのクラッチ部３と、プレッシャプレート４と、ダイヤフラムスプリング５と、レリーズ部材６と、レリーズ部材６のセンタリング及び回り止めを行うための規制機構７とを備えている。
【００２６】
＜クラッチハウジング＞
クラッチハウジング１は、円板状の部分１０と、この円板部１０の外周側から軸方向外側（図１の右方）に延びる筒状の部分１１とを有している。円板部１０には複数の環状のゴム部材１２を介して入力ギア１３が装着されている。この入力ギア１３は、エンジン側のクランク軸に固定された駆動ギア（図示せず）に噛み合っている。なお、ゴム部材１２は、エンジンからの振動を吸収するために設けられたものであり、他の例えばコイルスプリング等を用いても良い。筒状部１１には、図２から明らかなように、内周側の部分に径方向外方に凹む複数の凹部が形成されており、また筒状部１１には軸方向に延びる複数の切欠きが円周方向に所定の間隔で形成されている。この切欠きは、内部の潤滑油を外周側に逃がすためのものである。
【００２７】
＜出力側回転体＞
出力側回転体２はクラッチハウジング１の内周部に配置されている。この出力側回転体２、ほぼ円板状に形成されており、外周部にスプライン１５が形成されるとともに、内周部にスプライン孔１６が形成されている。そして、内周部のスプライン孔１６はトランスミッションの入力軸１７に噛み合っている。また、この出力側回転体２の外周部において、軸方向内側の端部には、さらに径方向外方に延びる円板状の摩擦フランジ１８が形成されている。さらに、出力側回転体２の軸方向外側の面の外周端部には、円周方向に所定の間隔で、軸方向に突出する複数の支持用突起２ａが形成され、内周端部には、図２からも明らかなように、円周方向に所定の間隔で、軸方向に突出する複数のインロー突起２ｂが形成されている。
【００２８】
また、この出力側回転体２には、ダイヤフラムスプリング５をこの出力側回転体２に支持するための支持プレート１９がリベット２０によって固定されている。支持プレート１９は、環状の部材であり、内周端部が出力側回転体２のインロー突起２ｂに支持されている。そして支持プレート１９の外周端部には、環状の支持用突起１９ａが出力側回転体２の支持用突起２ａと対向するように軸方向内側に突出している。なお、入力ギア１３の内周部と出力側回転体２の内周部との間にはスラストプレート２１が設けられている。
【００２９】
＜クラッチ部＞
クラッチ部３は、２枚の第１クラッチプレート２５と１枚の第２クラッチプレート２６とを有している。これらの両クラッチプレート２５，２６はともに環状に形成されており、軸方向に交互に配置されている。また、第１クラッチプレート２５の外周部には外方に突出する複数の係合突起が形成されており、この係合突起がクラッチハウジング１の筒状部１１の内周部に形成された凹部に噛み合っている。また、第１クラッチプレート２５は両面に摩擦フェーシングが貼付されている。第２クラッチプレート２６は内周部にスプラインが形成されており、このスプラインが出力側回転体２の外周に形成されたスプライン１５に噛み合っている。
【００３０】
＜プレッシャプレート＞
プレッシャプレート４は、環状の部材であり、最も外側に配置された第１クラッチプレート２５のさらに軸方向外側に配置されている。このプレッシャプレート４の内周部には、軸方向内側に突出してスプライン孔４ａが形成されており、このスプライン孔４ａが出力側回転体２の外周スプライン１５に噛み合っている。また、プレッシャプレート４の軸方向外側の面の外周部には、軸方向に突出する環状の突出部４ｂが形成され、さらに、この環状突出部４ｂの内周側には、軸方向に突出する押圧用突起４ｃが形成されている。なお、環状突出部４ｂの方が押圧用突起４ｃより軸方向外側により突出している。
【００３１】
＜ダイヤフラムスプリング＞
ダイヤフラムスプリング５は、環状のプレート部材であって、外周部に皿ばねとしての押圧部５ａを有し、内周部に押圧部５ａの押圧を解除するためのレバー部５ｂを有している。また、レバー部５ｂの内周端部には、軸方向外側に突出する当接部５ｃが形成されている。ダイヤフラムスプリング５は、その外周部がプレッシャプレート４の環状突出部４ｂの内周側に位置するように配置されている。そして、ダイヤフラムスプリング５の押圧部５ａは、外周部がプレッシャプレート４の押圧用突起４ｃに支持され、内周部が出力側回転体２の支持用突起２ａと支持プレート１９の支持用突起１９ａとに挟持されて支持されている。このようなダイヤフラムスプリング５が図１に示すようにセットされた状態では、皿ばねの付勢力によってプレッシャプレート４を所定の押圧力で軸方向内側に押圧している。したがって、クラッチ部３の第１及び第２クラッチプレート２５，２６は出力側回転体２の摩擦部１８とプレッシャプレート４との間に挟持されている。
【００３２】
また、ダイヤフラムスプリング４のレバー部５ｂは、放射状に並ぶ複数のレバーから形成されている。なお、円周方向に隣接する２つのレバーの間には、幅広のスリットが形成されており、出力側回転体２の一部が、このスリットを軸方向外側に通過して支持プレート１９の軸方向内側の面に当接している。このように、出力側回転体２の一部がダイヤフラムスプリング５のレバー部５ｂのスリットを通過していることによって、支持プレート１９及び出力側回転体２とダイヤフラムスプリング５との相対回転が規制されている。
【００３３】
＜レリーズ部材＞
レリーズ部材６は、環状のプレート部材であり、内周部にレリーズベアリング３０を保持している。すなわち、レリーズ部材６の内周部において、軸方向外側には軸受保持部６ａが形成されており、この軸受保持部６ａにレリーズベアリング３０の外輪の軸方向内側の肩部が嵌合している。また、レリーズ部材６の外周には、図２に示すように、径方向外方に突出する複数の爪６ｂが形成されている。この複数の爪６ｂは円周方向に等間隔に配置されている。
【００３４】
＜規制機構＞
規制機構７は、前述のように、レリーズ部材６のセンタリング及び回り止めを行うための機構であり、レリーズ部材６に形成された複数の爪６ｂと、支持プレート１９に形成された係合用切欠き１９ｂとから構成されている。すなわち、支持プレート１９の内周部には、円周方向に等角度間隔で複数の係合用切欠き１９ｂが形成されている。そして、この係合用切欠き１９ｂにレバー部材６の複数の爪６ｂが係合している。この爪６ｂと係合用切欠き１９ｂとの係合により、レリーズ部材６はセンタリングされ、また支持プレート１９、出力側回転体２及びダイヤフラムスプリング５に対する相対回転が禁止されている。なお、レリーズ部材６のセンタリングは、爪６ｂの外周面と係合用切欠き１９ｂの内周面を当接させて行っても良いし、爪６ｂの外側面と係合用切欠き１９ｂの内側面とを当接させて行っても良い。
【００３５】
＜動作＞
次に動作について説明する。
【００３６】
図１に示す状態では、ダイヤフラムスプリング５の押圧部５ａによってプレッシャプレート４が軸方向内側に所定の押圧力で押圧され、クラッチ部３の第１及び第２クラッチプレート２５，２６は出力側回転体２の摩擦部１８とプレッシャプレート４との間に挟持されている。この場合は、クラッチオン状態であり、クランク軸から入力ギア１３及びゴム部材１２を介して入力された回転は、クラッチハウジング１を介して第１クラッチプレート２５に伝達され、さらに第２クラッチプレート２６から出力側回転体２に伝達され、トランスミッションの入力軸１７に伝達される。
【００３７】
一方、運転者がクラッチレバーを握ると、その操作力はクラッチワイヤ等を介してレリーズベアリング３０に伝達され、レリーズベアリング３０は軸方向内側に移動させられる。このレリーズベアリング３０の移動は、レリーズ部材６を介してダイヤフラムスプリング５のレバー部５ｂに伝達され、レバー部５ｂの内周部が軸方向内側に移動させられる。すると、ダイヤフラムスプリング５の径方向中間部を支点として、押圧部５ａの外周部が軸方向外側に移動し、押圧部５ａがプレッシャプレート４の押圧用突起４ｃから離れる。これによりプレッシャプレート４の押圧力が解除され、クラッチ部３はオフ状態になる。このクラッチオフ状態では、クラッチハウジング１からの回転は出力側回転体２には伝達されない。
【００３８】
ここで、クラッチオフのレリーズ操作の際に、レバー部５ｂの作用によって操作力が軽減される。より詳細には、例えばダイヤフラムスプリング５の押圧部５ａによる押圧力がＰであるとすると、この押圧力Ｐを解除するためにレバー部５ｂに作用させなければならないレリーズ荷重Ｒは、
Ｒ＝Ｐ×（Ｌ１／Ｌ２）
Ｌ１：押圧部内周部の支持部から押圧部外周部の押圧点までの距離
Ｌ２：押圧部内周部の支持部からレバー部のレリーズ部材との当接部までの距離
となる。すなわち、レバー比（Ｌ１／Ｌ２）の分だけ、レリーズ荷重は軽減される。したがって、従来装置と同様のレリーズ荷重に設定する場合は、押圧部５ａの押圧荷重をレバー比の分だけ大きくすることができ、クラッチの伝達容量を同じにする場合は、クラッチプレートの枚数を減らすことができる。したがって、クラッチ装置をコンパクトにすることができる。
【００３９】
また、この装置では、レリーズ部材６の爪６ｂと支持プレート１９の係合用切欠き１９ｂとが係合することによって、レリーズ部材６がセンタリングされている。したがって、簡単な構成でレリーズ部材６をセンタリングでき、レリーズ操作をスムーズに行うことができる。また、同様の理由により、レリーズ部材６とダイヤフラムスプリング５との相対回転が禁止されているため、ダイヤフラムスプリング５とレリーズ部材６との当接部における摩耗を抑えることができる。さらに、支持プレート１９がダイヤフラムスプリング５のレバー部５ｂの切欠きを通過して出力側回転体２に固定されていることにより、ダイヤフラムスプリング５と出力側回転体２及び支持プレート１９との相対回転が禁止されるので、各支持用突起２ａ，１９ａとダイヤフラムスプリング５の当接部における摩耗を抑えることができる。
【００４０】
さらに、この実施形態では、ダイヤフラムスプリング５を径方向の中間で、すなわち押圧部５ａの内周部を支持する必要があるが、この部分を出力側回転体２の外周部によって内周側から支持しているので、従来の自動車用クラッチ装置のクラッチカバーによる支持構造に比較して、簡単でかつ小さいスペースで支持することができる。
【００４１】
［第２実施形態］
図３及び図４に第２実施形態を示す。この実施形態は、第１実施形態と比較して、規制機構を構成する部材のみが異なり、他の構成は同様であるので、以下では、第１実施形態と異なる部分のみについて説明する。
【００４２】
規制機構４０はダイヤフラムスプリング５、支持プレート４１及びレリーズ部材４２によって構成されている。
【００４３】
ダイヤフラムスプリング５は、第１実施形態と同様の構成であり、外周部に押圧部５ａを有し、内周部にレバー部５ｂを有している。また、レバー部５ｂの内周端部には、軸方向外側に突出する当接部５ｃが形成されている。
【００４４】
支持プレート４１は、第１実施形態と同様に、リベット２０によって出力側回転体２に固定されている。この支持プレート４１は、環状の部材であり、第１実施形態と同様に、内周端部が出力側回転体２のインロー突起２ｂに支持されている。また、支持プレート４１の外周端部には、環状の支持用突起４１ａが出力側回転体２の支持用突起２ａと対向するように軸方向内側に突出している。そして、第１実施形態と異なる部分は、この第２実施形態の支持プレート４１は、図４から明らかなように、内周部に係合用切欠きを有していない点である。
【００４５】
レリーズ部材４２は、環状のプレート部材であり、内周部にレリーズベアリング３０を保持している。すなわち、レリーズ部材４２の内周部において、軸方向外側には軸受保持部４２ａが形成されており、この軸受保持部４２ａにレリーズベアリング３０の外輪の軸方向内側の肩部が嵌合している。また、レリーズ部材４２の外周は、図４から明らかなように、ほぼ六角形に形成されており、その６個所の頂点に相当する部分には、それぞれ当接面４２ｂが形成されている。この当接面４２ｂは支持プレート４１の内周面に当接している。また、レリーズ部材４２の軸方向内側の側面には、エンボス加工によって軸方向に突出する複数の突起４２ｃが形成されている。この突起４２ｃはダイヤフラムスプリング５のスリット５ｄ（図４参照）と同じ幅になるように形成されている。
【００４６】
以上のように、レリーズ部材４２の６個所の外周当接面４２ｂが支持プレート４１の内周面に当接することによって、レリーズ部材４２がセンタリングされている。また、レリーズ部材４２の突起４２ｃがダイヤフラムスプリング５のスリット５ｄに係合することによって、レリーズ部材４２のダイヤフラムスプリング５に対する相対回転が禁止されている。このようにして、レリーズ部材４２の外周当接面４２ｂ、支持プレート４１の内周面、レリーズ部材４２の複数の突起４２ｃ及びダイヤフラムスプリング５のスリット５ｄによって、レリーズ部材４２のセンタリング及び回り止めを行うための規制機構４０が構成されている。
【００４７】
［第３実施形態］
図５及び図６に第３実施形態を示す。この実施形態は、第１実施形態と比較して、規制機構を構成する部材のみが異なり、他の構成は同様であるので、以下では、第１実施形態と異なる部分のみについて説明する。
【００４８】
規制機構５０は出力側回転体５１及びレリーズ部材５２によって構成されている。出力側回転体５１は、第１実施形態の出力側回転体２とほぼ同様の構成であり、支持プレート１９の内周側に位置する部分のみが異なっている。すなわち、出力側回転体５１は、外周部にスプライン１５が形成されるとともに、内周部にスプライン孔１６が形成され、内周部のスプライン孔１６はトランスミッションの入力軸１７に噛み合っている。また、出力側回転体５１の外周部において、軸方向内側の端部には径方向外方に延びる円板状の摩擦フランジ１８が形成され、軸方向外側の面の外周端部には複数の支持用突起２ａが形成されている。そして、この出力側回転体５１には、支持プレート１９がリベット２０によって固定されており、支持プレート１９の内周側において、出力側回転体５１の一部が軸方向外側に突出して爪５１ａを形成している。この複数の爪５１ａは、図６に示すように、円周方向に等角度間隔で形成されている。
【００４９】
一方、レリーズ部材５２は、環状のプレート部材であり、内周部にレリーズベアリング３０を保持している。すなわち、レリーズ部材５２の内周部において、軸方向外側には軸受保持部５２ａが形成されており、この軸受保持部５２ａにレリーズベアリング３０の外輪の軸方向内側の肩部が嵌合している。また、レリーズ部材４２の外周部には、図６から明らかなように、複数の凹部５２ｂが円周方向に等角度間隔で形成されている。この凹部５２ｂに出力側回転体５１の爪５１ａが嵌合している。
【００５０】
以上のように、出力側回転体５１の複数の爪５１ａがレリーズ部材５２の凹部５２ｂに嵌合することによって、レリーズ部材５２がセンタリングされ、かつレリーズ部材５２のダイヤフラムスプリング５に対する相対回転が禁止されている。このようにして、出力側回転体５１の爪５１ａ及びレリーズ部材５２の凹部５２ｂによって、レリーズ部材５２のセンタリング及び回り止めを行うための規制機構５０が構成されている。
【００５１】
［他の実施形態］
なお、前記各実施形態では、入力ギアから回転が入力されて出力側回転体に出力される場合について説明したが、回転の伝達経路が逆の場合でも、本発明を同様に適用することができる。
【図面の簡単な説明】
【００５２】
【図１】本発明の第１実施形態におけるモータサイクル用クラッチ装置の縦断面図。
【図２】前記装置の正面図。
【図３】本発明の第２実施形態におけるモータサイクル用クラッチ装置の縦断面図。
【図４】前記装置の正面図。
【図５】本発明の第３実施形態におけるモータサイクル用クラッチ装置の縦断面図。
【図６】前記装置の正面図。
【符号の説明】
【００５３】
１  クラッチハウジング
２，５１  出力側回転体
３  クラッチ部
４  プレッシャプレート
５  ダイヤフラムスプリング
５ａ  押圧部
５ｂ  レバー部
５ｄ  スリット
６，４２，５２  レリーズ部材
６ｂ  爪
７，４０，５０  規制機構
１９，４１  支持プレート
１９ｂ  係合用切欠き
３０  レリーズベアリング
４２ｃ  突起
５１ａ  爪
５２ｂ  凹部
【図１】
2006312990.tif 000003
【図２】
2006312990.tif 000004
【図３】
2006312990.tif 000005
【図４】
2006312990.tif 000006
【図５】
2006312990.tif 000007
【図６】
2006312990.tif 000008
【手続補正書】
【提出日】平成18年8月1日(2006.8.1)
【手続補正１】
【補正対象書類名】特許請求の範囲
【補正対象項目名】請求項１
【補正方法】変更
【補正の内容】
【請求項１】
入力側部材からの動力を出力側部材に伝達するとともに、レリーズ機構の作動により動力伝達を遮断するモータサイクル用クラッチ装置であって、
前記入力側部材及び出力側部材の一方に連結されたクラッチハウジングと、
前記クラッチハウジングの内周部に設けられ、前記入力側部材及び出力側部材の他方に連結された回転体と、
前記クラッチハウジングと前記回転体との間で動力の伝達及び遮断を行うための１枚以上のプレート部材を有するクラッチ部と、
前記クラッチ部のプレート部材を押圧するためのプレッシャプレートと、
前記プレッシャプレートを押圧する押圧部と、前記レリーズ機構の作動力を所定のレバー比で増幅して前記押圧部による押圧力を解除するためのレバー部とを有する押圧部材と、
前記レリーズ機構を保持するとともに前記レリーズ機構の作動力を前記レバー部に伝達するための環状のレリーズ部材と、
前記レリーズ部材のセンタリングを行うとともに、前記レリーズ部材の前記押圧部材に対する相対回転を禁止する規制機構と、
を備え、
前記規制機構は、前記レリーズ部材の外周部を前記回転体に当接させてセンタリングしている、
モータサイクル用クラッチ装置。
【手続補正２】
【補正対象書類名】特許請求の範囲
【補正対象項目名】請求項６
【補正方法】変更
【補正の内容】
【請求項６】
前記レリーズ部材は側面に軸方向に突出する複数の突起を有する環状の部材であり、
前記押圧部材は前記レリーズ部材の複数の突起のそれぞれが係合する複数のスリットを有し、
前記回転体は、前記押圧部材と相対回転不能に連結されるとともに、回転体本体と、前記回転体本体に固定されて前記回転体本体とともに前記押圧部材を支持する環状の支持プレートとを有し、
前記規制機構は、前記レリーズ部材の外周面と、前記レリーズ部材の外周面が当接する前記支持プレートの内周面と、前記複数の突起と、前記複数のスリットとによって構成されている、
請求項１から４のいずれかに記載のモータサイクル用クラッチ装置。
【手続補正３】
【補正対象書類名】明細書
【補正対象項目名】０００９
【補正方法】変更
【補正の内容】
【０００９】
請求項１に係るモータサイクル用クラッチ装置は、入力側部材からの動力を出力側部材に伝達するとともに、レリーズ機構の作動により動力伝達を遮断する装置であり、クラッチハウジングと、回転体と、クラッチ部と、プレッシャプレートと、押圧部材と、環状のレリーズ部材と、規制機構とを備えている。クラッチハウジングは入力側部材及び出力側部材の一方に連結されている。回転体は、クラッチハウジングの内周部に設けられ、入力側部材及び出力側部材の他方に連結されている。クラッチ部はクラッチハウジングと回転体との間で動力の伝達及び遮断を行うための１枚以上のプレート部材を有している。プレッシャプレートはクラッチ部の１枚以上のプレート部材を押圧するための部材である。押圧部材は、プレッシャプレートを押圧する押圧部と、レリーズ機構の作動力を所定のレバー比で増幅して押圧部による押圧力を解除するためのレバー部とを有する。レリーズ部材はレリーズ機構を保持するとともにレリーズ機構の作動力をレバー部に伝達する。規制機構は、レリーズ部材のセンタリングを行うとともに、レリーズ部材の押圧部材に対する相対回転を禁止する。そして、規制機構は、レリーズ部材の外周部を回転体に当接させてセンタリングしている。
【手続補正４】
【補正対象書類名】明細書
【補正対象項目名】００２０
【補正方法】変更
【補正の内容】
【００２０】
請求項６に係るモータサイクル用クラッチ装置は、請求項１から４のいずれかの装置において、レリーズ部材は側面に軸方向に突出する複数の突起を有する環状の部材であり、押圧部材はレリーズ部材の複数の突起のそれぞれが係合する複数のスリットを有し、回転体は、押圧部材と相対回転不能に連結されるとともに、回転体本体と、回転体本体に固定されて回転体本体とともに押圧部材を支持する環状の支持プレートとを有している。そして、規制機構は、レリーズ部材の外周面と、レリーズ部材の外周面が当接する支持プレートの内周面と、複数の突起と、複数のスリットとによって構成されている。
【手続補正５】
【補正対象書類名】明細書
【補正対象項目名】００２７
【補正方法】変更
【補正の内容】
【００２７】
＜出力側回転体＞
出力側回転体２はクラッチハウジング１の内周部に配置されている。この出力側回転体２は、ほぼ円板状に形成されており、外周部にスプライン１５が形成されるとともに、内周部にスプライン孔１６が形成されている。そして、内周部のスプライン孔１６はトランスミッションの入力軸１７に噛み合っている。また、この出力側回転体２の外周部において、軸方向内側の端部には、さらに径方向外方に延びる円板状の摩擦フランジ１８が形成されている。さらに、出力側回転体２の軸方向外側の面の外周端部には、円周方向に所定の間隔で、軸方向に突出する複数の支持用突起２ａが形成され、内周端部には、図２からも明らかなように、円周方向に所定の間隔で、軸方向に突出する複数のインロー突起２ｂが形成されている。
【手続補正６】
【補正対象書類名】明細書
【補正対象項目名】００３４
【補正方法】変更
【補正の内容】
【００３４】
＜規制機構＞
規制機構７は、前述のように、レリーズ部材６のセンタリング及び回り止めを行うための機構であり、レリーズ部材６に形成された複数の爪６ｂと、支持プレート１９に形成された係合用切欠き１９ｂとから構成されている。すなわち、支持プレート１９の内周部には、円周方向に等角度間隔で複数の係合用切欠き１９ｂが形成されている。そして、この係合用切欠き１９ｂにレリーズ部材６の複数の爪６ｂが係合している。この爪６ｂと係合用切欠き１９ｂとの係合により、レリーズ部材６はセンタリングされ、また支持プレート１９、出力側回転体２及びダイヤフラムスプリング５に対する相対回転が禁止されている。なお、レリーズ部材６のセンタリングは、爪６ｂの外周面と係合用切欠き１９ｂの内周面を当接させて行っても良いし、爪６ｂの外側面と係合用切欠き１９ｂの内側面とを当接させて行っても良い。